(57)【要約】【課題】必要個数を縦横に並べて擁壁や堰堤に構築する土留め用かご枠を互いに連結して、位置ずれの発生を可及的に防止する連結部材を開発する。【解決手段】隣接する双方の土留め用かご枠４ａ，４ｂの内部間に跨がって配設する棒材２の両端近傍部に、双方のかご枠内部に充填される中詰材５と噛み合う定着部３ａ，３ｂを設けるとともに、該棒材の両端部に、他の同一連結部材との連結部７ａ，７ｂを設ける。【選択図】　　図１
2004019128.tif 000002
【特許請求の範囲】
【請求項１】
内部に割り栗石等の中詰材を充填し、縦横に並べて擁壁や堰堤に構築する土留め用かご枠の連結部材であって、隣接する双方の土留め用かご枠の内部間に跨がって配設する棒材の両端近傍部に、双方のかご枠内部に充填される中詰材と噛み合う定着部を設けるとともに、該棒材の両端部に他の同一連結部材との連結部を設けてなる土留め用かご枠の連結部材。
【請求項２】
内部に割り栗石等の中詰材を充填し、縦横に並べて擁壁や堰堤に構築する土留め用かご枠の連結部材であって、隣接する双方の土留め用かご枠の内部間に跨がって配設する棒材の一端側に、一方のかご枠内部に充填される中詰材と噛み合う定着部を設けるとともに、該棒材の両端部に他の同一連結部材との連結部を設けてなる土留め用かご枠の連結部材。
【請求項３】
棒材の一端側に設ける定着部は、所定間隔を置いて複数個設けられる請求項２に記載の土留め用かご枠の連結部材。
【請求項４】
内部に割り栗石等の中詰材を充填し、縦横に並べて擁壁や堰堤に構築する土留め用かご枠の連結部材であって、隣接する双方の土留め用かご枠間に跨がって配設される棒材の両端部をフック形に形成し、これらのフックに、かご枠内部に充填される中詰材と噛み合う定着部としての機能と、他の同一連結部材との連結部としての機能とを兼備させてなる土留め用かご枠の連結部材。
【発明の詳細な説明】
【０００１】
【発明の属する技術分野】
この発明は、内部に割り栗石等を充填し、必要個数を縦横に並べて擁壁や堰堤に構築する土留め用かご枠の連結部材に関する。
【０００２】
【従来の技術】
土留め用かご枠は、溶接金網等で形成された箱型容器であり、その内部に割り栗石等の中詰材を充填し、横方向および縦方向に必要個数並べることにより、所要の擁壁や堰堤に構築するものである。
【０００３】
ところで、土留め用かご枠を横方向や縦方向に並べた場合には、隣接するかご枠どうしを連結して、互いの位置ずれ等を防止する必要がある。このため、従来は、互いに隣接するかご枠の枠部間を鉄線コイル等で直接連結したり、あるいは図１０に示すように、互いに隣接するかご枠４ａ，４ｂの内部に、それぞれ割り栗石等の中詰材５と噛み合う格子状鉄筋１０を配置し、これらの縦鉄筋先端に設けたフック１１を互いに掛け合わせて連結することが行われていた（特開平１０ー２８０４２１号）。
【０００４】
【発明が解決しようとする課題】
しかしながら、隣接するかご枠の枠部間を鉄線コイルで連結する手段は、強度的に弱く、かご枠間に生じる位置ずれ等を防止することができなかった。また、格子状鉄筋１０を用いて隣接するかご枠４ａ，４ｂどうしを連結する手段においても、例えば一方のかご枠４ａにおける格子状鉄筋１０の中詰材との噛み合いが弱く、定着が不十分であった場合には、この一方の格子状鉄筋１０が他方のかご枠４ｂ側へ引っ張られて抜き出されるため、やはり隣接するかご枠４ａ，４ｂ間に位置ずれを生じるおそれがある。
【０００５】
本発明は、このような従来の問題を解決するためになされたものであり、互いに隣接する土留め用かご枠どうしが強固に連結され、安定的で位置ずれを生じにくい土留め用かご枠連結部材の提供を目的とする。
【０００６】
【課題を解決するための手段】
上記目的を達成する本発明の土留め用かご枠連結部材は、互いに隣接する土留め用かご枠間に跨がって配設される棒材の両端近傍部に、それぞれ双方のかご枠内部に充填される中詰材と噛み合う形状の定着部を設けるとともに、該棒材の両端部に他の同一連結部材との連結部を設けたものである。
【０００７】
本発明の連結部材としては他に、隣接する双方の土留め用かご枠間に跨がって配設される棒材の一端側に、一方のかご枠内部に充填される中詰材と噛み合う形状の定着部を１個ないし複数個設けるとともに、該棒材の両端部に他の同一連結部材との連結部を設けたものがある。
【０００８】
また、同じく本発明の他の連結部材としては、隣接する双方の土留め用かご枠間に跨がって配設される棒材の両端部をフック形に形成して、これらのフックに、かご枠内部に充填される中詰材と噛み合う定着部としての機能と、他の同一連結部材との連結部としての機能とを兼備させたものがある。
【０００９】
【発明の実施の形態】
図１は、本発明に係る土留め用かご枠連結部材の一例である。同図に示すように、この連結部材１は、所要長さの棒材２の両端近傍部に定着部３ａ，３ｂを形成するとともに、該棒材の両端部を連結部７ａ，７ｂに形成したものである。
【００１０】
すなわち、棒材２は、直径１３ｍｍ程度、長さ１０００ｍｍ程度の鉄筋で形成してある。棒材２の両端近傍部に設けられた定着部３ａ，３ｂは、それぞれ隣接する土留め用かご枠４ａ，４ｂの内部に．充填される割り栗石等の中詰材５に噛み合わせて定着させるものである。これらの定着部３ａ，３ｂは、図示例では、鋼板により一辺が１５０ｍｍ程度の正方形に形成してあり、中心部に設けた貫通孔３’を棒材２に挿通し、棒材の端部近傍に溶接して設けてある。定着部３ａ，３ｂの形状は図示例に限らず、他に長方形や円形等の平板状のもの、あるいは図２に示すように、複数個の円柱等の柱体６を、棒材２の端部近傍に放射状に配設した構造のもの等であってもよい。
【００１１】
棒材２の両端部は、他の同一連結部材１との連結部７ａ，７ｂになっており、図示例では、フック形に形成してある。すなわち、これらの連結部（フック）７ａ，７ｂは、互いに隣接する各かご枠４ａ，４ｂ間を跨いで設置される他の同様の連結部材１と互いに連結して、図３に示すように、左右方向に並列設置された複数個のかご枠４…を全て一体的に連結するためのものである。このような一体的な連結を行うことにより、たとえ一部の連結部材１のかご枠への定着が不十分であった場合でも、連結されたかご枠全体４…として十分な定着効果を得ることができる。したがって、連結された全てのかご枠４…間に位置ずれが生じ難く、また局部的な荷重が作用した場合でも、荷重は連結された全てのかご枠４…に伝達され、分散されるので、かご枠の変形や位置ずれが生じ難くなる。
【００１２】
なお、連結部７ａ，７ｂの形状としては、上記のフック形以外にも、図４に示すように、棒材２の端部を螺子８に形成し、長ナット９で螺合する連結形式としてもよい。
【００１３】
図５は、本発明に係る土留め用かご枠連結部材の他の実施形態を示している。すなわち、隣接する双方の土留め用かご枠４ａ，４ｂ間に跨がって配設される棒材２の一端側に、一方のかご枠４ａ内部に充填される中詰材５と噛み合う形状の定着部３ａを１個ないし複数個（図示例では２個）設けるとともに、該棒材２の両端部に、それぞれ他の同一連結部材１との連結部７ａ，７ｂ（図示例では、長ナット９による連結形式を採用）を設けたものである。この連結部材１は、図６に示すように、左右方向に並列設置された全ての隣り合うかご枠４…間に跨がって配設され、互いに長ナット９にて連結される。
【００１４】
また、図７は、同じく本発明に係る土留め用かご枠連結部材の他の実施形態を示している。すなわち、隣接する双方の土留め用かご枠４ａ，４ｂ間に跨がって配設される棒材２の両端部をフック形に形成して、これらのフックに、かご枠４ａ，４ｂ内部に充填される中詰材５と噛み合う定着部３ａ，３ｂとしての機能と、他の同一連結部材との連結部７ａ，７ｂとしての機能とを兼備させたものである。この連結部材１は、図８に示すように、左右方向に並列設置された全ての隣り合うかご枠４…間に跨がって配設され、互いのフックを掛け合わせて連結される。
【００１５】
なお、上記した各図示例は、いずれも左右方向に並列設置されたかご枠どうしを本発明に係る連結部材にて連結した例を示しているが、図９に示すように、上下方向に段積み設置された複数個のかご枠４…に対しても、その上下に隣接するかご枠間に跨がって本発明の連結部材１を配設し、連結することにより、これらの段積み設置されたかご枠を一体的に連結することができる。
【００１６】
【発明の効果】
以上に説明したとおり、本発明の連結部材によれば、擁壁や堤堰を構築するために、左右方向に並列設置された複数個の土留め用かご枠、あるいは上下方向に段積みされた複数個の土留め用かご枠を、いずれの場合でも一体的に連結することができる。
【００１７】
したがって、互いに連結された複数個のかご枠全体として高い定着効果が得られ、かご枠間の位置ずれ等を容易に生じることがない。また局部的な荷重が作用した場合でも、荷重は連結された全てのかご枠に伝達され、分散されるので、かご枠の変形や位置ずれが生じ難い。
【図面の簡単な説明】
【図１】本発明に係る連結部材を説明する側面図である。
【図２】定着部の他の実施例を示す斜視図である。
【図３】図１に示す連結部材の使用例を示す縦断側面図である。
【図４】連結部の他の実施例を示す要部縦断側面図である。
【図５】本発明に係る他の連結部材を説明する側面図である。
【図６】図５に示す連結部材の使用例を示す縦断側面図である。
【図７】本発明に係る他の連結部材を説明する側面図である。
【図８】図７に示す連結部材の使用例を示す縦断側面図である。
【図９】本発明に係る連結部材の上下方向の使用例を示す縦断側面図である。
【図１０】従来の連結部材を説明する平面図である。
【符号の説明】
１　連結部材
２　棒材
３ａ，３ｂ　定着部
４ａ，４ｂ　隣接するかご枠
５　中詰材
７ａ，７ｂ　連結部
【図１】
2004019128.tif 000003
【図２】
2004019128.tif 000004
【図３】
2004019128.tif 000005
【図４】
2004019128.tif 000006
【図５】
2004019128.tif 000007
【図６】
2004019128.tif 000008
【図７】
2004019128.tif 000009
【図８】
2004019128.tif 000010
【図９】
2004019128.tif 000011
【図１０】
2004019128.tif 000012